(57)【要約】【課題】現在地から目的地までのおおよその方位と距離を通知する音声ナビゲーションシステムを提供する。【解決手段】使用者の両耳に装着されるスピーカ２４４Ｌ，２４４Ｒと、現在地の位置情報を取得する現在位置取得部３６０と、目的地の位置情報を取得する目的位置取得部３８０と、取得した現在地の位置情報および取得した目的地の位置情報に基づいて、現在地から目的地までの距離を算出する距離算出部２６０と、距離算出部２６０で算出された目的地までの距離に基づいて、スピーカ２４４Ｌ，２４４Ｒから出力される楽音の特性を制御する特性処理部２８０と、を備えた音声ナビゲーションシステム１００とする。【選択図】図２
2020188494.tif 000002
【特許請求の範囲】
【請求項１】
使用者の両耳に装着されるスピーカと、
現在地の位置情報を取得する現在位置取得部と、
目的地の位置情報を取得する目的位置取得部と、
前記使用者の頭部が向いている方位を検出する方位センサと、
前記取得した現在地の位置情報および前記取得した目的地の位置情報に基づいて、前記現在地から前記目的地までの距離および方位を算出する距離算出部と、
前記使用者の頭部が向いている方位に対する前記目的地の方位を算出する方位算出部と、
楽曲等のオーディオ信号を再生するオーディオ再生部と、
前記距離算出部で算出された前記目的地までの距離に基づいて、前記オーディオ信号の特性を制御するとともに、このオーディオ信号が前記使用者の頭部に対して前記目的地の方向から聞こえるように定位させて前記スピーカから出力する特性処理部と、
を備えた音声ナビゲーションシステム。
【請求項２】
前記オーディオ信号が再生されていないとき、または、特定のタイミングに、前記現在地から前記目的地までの距離または方位を通知する案内音声を発生する案内音声発生部を、
を更に備えた請求項１に記載の音声ナビゲーションシステム。
【請求項３】
目的地の位置情報を取得し、
使用者の現在地の位置情報を取得し、
前記取得した目的地の位置情報、および、使用者の現在地の位置情報に基づいて、前記現在地から前記目的地までの距離および方位を算出し、
前記使用者の頭部が向いている方位を検出し、
前記使用者の頭部が向いている方位に対する前記目的地の方位を算出し、
前記算出された前記目的地までの距離に基づいて、前記使用者の両耳に装着されるスピーカから出力されるオーディオ信号の特性を制御するとともに、このオーディオ信号が前記使用者の頭部に対して前記目的地の方向から聞こえるように定位させて、前記スピーカから出力する
音声ナビゲーション方法。
【請求項４】
前記オーディオ信号が再生されていないとき、または、特定のタイミングに、前記現在地から前記目的地までの距離または方位を通知する案内音声を発生する請求項３に記載の音声ナビゲーション方法。
【発明の詳細な説明】
【技術分野】
【０００１】
この発明は、現在地から目的地までの距離等の情報を、音の特性を制御することによって通知する音声ナビゲーションシステムおよび音声ナビゲーション方法に関する。
【背景技術】
【０００２】
従来、使用者の現在地と目的地までの経路画像を画面に表示する携帯ナビゲーション装置が知られている（例えば、特許文献１参照）。
【０００３】
また、目的地までの経路画像に加えて、次に向かうべき経路を例えば「次の交差点を右へ」というような音声で案内する携帯ナビゲーション装置も知られている。
【０００４】
しかしながら、経路画像が表示される携帯ナビゲーション装置では、表示画面を見て目的地までの経路を確認しなければならず不便であった。また、使用者が歩行で目的地に向かう場合、携帯ナビゲーション装置を手に持ち続けて経路画像を確認したり、経路画像を確認するたびに携帯ナビゲーション装置を鞄等から取り出す必要があり不便であった。
【０００５】
経路画像に加えて経路情報を音声で案内する携帯ナビゲーション装置の場合には、経路画像を確認しなくても経路情報を知ることができる。しかしながら、使用者が聞いている音楽等が音声ガイドによって度々邪魔されることがあり、不快に感じる場合があった。
【０００６】
また、都市部では、目的地までの経路は立体的かつ複雑である。このため経路画像を表示しても、都市部では向かうべき方向や経路が判りにくい場合があった。さらに「次の交差点を右へ」というような単純な音声案内だけでは、都市部での経路情報を的確に通知できなかった。
【先行技術文献】
【非特許文献】
【０００７】
【特許文献１】特開２００１‐９９６６４号公報
【発明の開示】
【発明が解決しようとする課題】
【０００８】
ところで、通常は目的地までの経路は複数ある。例えば「次の交差点を右折」してもよく、「次の次の交差点を右折」しても最終的には問題なく目的地に到着できる場合がある。つまり、現在地から目的地までのおおよその距離や方位が分かれば、たとえ現在地を見失ったとしても目的地に向かうことができる。
【０００９】
この発明は、現在地から目的地までのおおよその距離や方位を通知する音声ナビゲーションシステムおよび音声ナビゲーション方法を提供することを目的とする。
【課題を解決するための手段】
【００１０】
本発明の音声ナビゲーションシステムは、使用者の両耳に装着されるスピーカと、現在地の位置情報を取得する現在位置取得部と、目的地の位置情報を取得する目的位置取得部と、使用者の頭部が向いている方位を検出する方位センサと、取得した現在地の位置情報および取得した目的地の位置情報に基づいて、現在地から目的地までの距離および方位を算出する距離算出部と記使用者の頭部が向いている方位に対する目的地の方位を算出する方位算出部と、楽曲等のオーディオ信号を再生するオーディオ再生部と、距離算出部で算出された前記目的地までの距離に基づいて、オーディオ信号の特性を制御するとともに、このオーディオ信号が使用者の頭部に対して前記目的地の方向から聞こえるように定位させてスピーカから出力する特性処理部と、を備えたことを特徴とする。
【００１１】
上記発明の音声ナビゲーションシステムにおいて、オーディオ信号が再生されていないとき、または、特定のタイミングに、現在地から目的地までの距離または方位を通知する案内音声を発生する案内音声発生部を、更に備えたことを特徴とする。
【００１２】
本発明の音声ナビゲーション方法は、目的地の位置情報を取得し、使用者の現在地の位置情報を取得し、取得した目的地の位置情報および使用者の現在地の位置情報に基づいて、現在地から目的地までの距離および方位を算出し、使用者の頭部が向いている方位を検出し、使用者の頭部が向いている方位に対する目的地の方位を算出し、算出された目的地までの距離に基づいて、使用者の両耳に装着されるスピーカから出力されるオーディオ信号の特性を制御するとともに、このオーディオ信号が使用者の頭部に対して目的地の方向から聞こえるように定位させて、前記スピーカから出力することを特徴とする。
【００１３】
上記発明の音声ナビゲーション方法において、オーディオ信号が再生されていないときまたは特定のタイミングに、現在地から目的地までの距離または方位を通知する案内音声を発生することを特徴とする。
【発明の効果】
【００１４】
この発明によれば、現在地から目的地までのおおよその距離や方位を再生中の楽音等で通知することができる。
【図面の簡単な説明】
【００１５】
【図１】この発明が適用される実施形態１にかかる音声ナビゲーションシステムを含むＧＰＳナビゲーションシステムの模式図である。
【図２】音声ナビゲーションシステムの外観図である。
【図３】音声出力装置のブロック図である。
【図４】携帯電話機のブロック図である。
【図５】音声ナビゲーションシステムの機能ブロック図である。
【図６】音声ナビゲーション処理の流れを示すフローチャートである。
【図７】音声ナビゲーションシステムの表示部および、音の音像についての模式図である。
【発明を実施するための形態】
【００１６】
［実施形態１］
図１は、この発明が適用される実施形態１にかかる音声ナビゲーションシステム１００を含むＧＰＳ（Ｇｌｏｂａｌ  Ｐｏｓｉｔｉｏｎｉｎｇ  Ｓｙｓｔｅｍ）ナビゲーションシステム４００の模式図である。ＧＰＳナビゲーションシステム４００は、音声ナビゲーションシステム１００、複数のＧＰＳ衛星４２０、基地局４４０、地図情報サーバ４６０等から構成されている。音声ナビゲーションシステム１００は、ＧＰＳ衛星４２０からの信号を受信して現在地の位置情報を測定する。地図情報サーバ４６０は、広域ネットワーク４５０および基地局４４０を介して音声ナビゲーションシステム１００と通信する。広域ネットワーク４５０は、たとえば携帯電話網やインターネットなどが適用可能である。
【００１７】
図２は、音声ナビゲーションシステム１００の外観図である。音声ナビゲーションシステム１００は、音声出力装置２００、および、多機能携帯電話機（いわゆるスマートフォンと呼ばれる機種。以下、単に携帯電話機と呼ぶ）３００から構成されている。
【００１８】
音声出力装置２００は、使用者によって装着され、携帯電話機３００から音楽（楽曲）などのオーディオ信号を受信して再生する。同時に、使用者が目的地に向かって移動（歩行）中の場合、現在地と目的値との距離および位置関係に応じて、再生中のオーディオ信号の特性を制御し、これによって使用者に目的地への方向や距離を知らせる。
【００１９】
音声出力装置２００は、いわゆるＢｌｕｅｔｏｏｔｈ（登録商標）のステレオイヤホンであり、音声処理ユニット２０１、ケーブル２０２、および、イヤホンユニット２１３Ｌ，２１３Ｒを有している。この実施形態の音声出力装置２００は、左右のイヤホンユニット２１３Ｌ，２１３Ｒをつなぐケーブル２０２の途中に音声処理ユニット２０１が挿入されるような形状であるが、本発明において音声出力装置２００の形状はこれに限定されない。
【００２０】
音声処理ユニット２０１は、Ｂｌｕｅｔｏｏｔｈ通信回路２２０を有している。Ｂｌｕｅｔｏｏｔｈ通信回路２２０は、携帯電話機３００と通信する。音声処理ユニット２０１は、Ｂｌｕｅｔｏｏｔｈ通信回路２２０を介して、携帯電話機３００から目的地の位置情報、現在地の位置情報、ソース信号（オーディオ信号）等を受信する。Ｂｌｕｅｔｏｏｔｈ通信回路２２０で受信したオーディオ信号は、目的地の位置情報、現在地の位置情報等に基づいて、音声処理ユニット２０１で音声処理が行われ、イヤホンユニット２１３Ｌ，２１３Ｒに出力される。
【００２１】
イヤホンユニット２１３Ｌ，２１３Ｒは、音声処理ユニット２０１で音声処理されたオーディオ信号を音声として放音する。イヤホンユニット２１３Ｌは使用者の左耳に装着され、イヤホンユニット２１３Ｒは使用者の右耳に装着される。イヤホンユニット２１３Ｌ，２１３Ｒは、スピーカ２４４Ｌ，２４４Ｒを有している。イヤホンユニット２１３Ｌには、頭部方位センサ２４６が設けられている。
【００２２】
頭部方位センサ２４６は、イヤホンユニット２１３Ｌの姿勢を検出する。頭部方位センサ２４６として、例えば９軸センサが用いられる。９軸センサは、三軸方向の角速度（回転速度）、三軸方向の加速度、および、三軸方向の地磁気を検出するセンサである。イヤホンユニット２１３Ｌが左耳に正常に装着されていることを前提として、イヤホンユニット２１３Ｌの姿勢を検出することで、使用者の頭部が向いている方位を検出することができる。なお、頭部方位センサ２４６は、９軸センサ以外のセンサを用いることができる。また、頭部方位センサ２４６をイヤホンユニット２１３Ｌ，２１３Ｒ両方に設けるようにしてもよい。
【００２３】
なお、頭部方位センサ２４６は使用者の頭部が向いている方位を検出できればよく、イヤホンユニット２１３Ｌ，２１３Ｒのどの位置に設けてもよい。また、イヤホンユニット２１３Ｌ，２１３Ｒは、ヘッドバンドで接続したヘッドホンであってもよい。この場合、頭部方位センサ２４６をヘッドバンドに設けてもよい。
【００２４】
図３は、音声出力装置２００のブロック図である。音声処理ユニット２０１は、制御部２１０、Ｂｌｕｅｔｏｏｔｈ通信回路２２０、信号処理部２２２、および、スピーカ駆動部２２４を有している。
【００２５】
制御部２１０は、ＣＰＵ２１１、および、ＲＯＭ，ＲＡＭ等からなるメモリ２１２を備えたマイクロコンピュータで構成されている。制御部２１０には、Ｂｌｕｅｔｏｏｔｈ通信回路２２０、信号処理部２２２、および、頭部方位センサ２４６が接続されている。制御部２１０はメモリ２１２に予め記憶された制御プログラムをＣＰＵ２１１で実行することにより、携帯電話機３００と協動して音声ナビゲーション機能を実現する。制御部２１０は、ＧＰＳ位置情報、および、頭部方位センサ２４６から入力された使用者の頭部が向いている方位（頭部方位情報）に基づいて、携帯電話機３００からＢｌｕｅｔｏｏｔｈ通信回路２２０を介して入力されるオーディオ信号に対する音声処理の内容を決定し、信号処理部２２２に出力する。
【００２６】
信号処理部２２２は、携帯電話機３００から入力されたオーディオ信号に対して、制御部２１０から入力された内容の音声処理を行う。音声処理によって特性を制御されたオーディオ信号は、スピーカ駆動部２２４に出力される。スピーカ駆動部２２４は、アンプを有しており、信号処理部２２２から入力されたオーディオ信号を増幅し、増幅した信号をそれぞれスピーカ２４４Ｌ，２４４Ｒに出力する。音声処理の内容は後述する。
【００２７】
図４は、携帯電話機３００のブロック図である。携帯電話機３００は、携帯電話網を介して他の電話機と音声通話が可能であるとともに、メモリカード３１５などのメモリに記憶された楽曲データを再生し、オーディオ信号を出力可能である。また、以下に述べるように、地図情報、ＧＰＳ測位情報などに基づいて現在地と目的地との距離や方位を割り出すナビゲーション機能を有している。
【００２８】
携帯電話機３００は、ナビゲーション機能を実現するためのナビゲーションコントローラアプリケーションプログラム３５０（以下、単にナビゲーションプログラム３５０と呼ぶ）を記憶している。ナビゲーションプログラム３５０が実行されると、携帯電話機３００は、音声出力装置２００とＢｌｕｅｔｏｏｔｈで通信し、音声出力装置２００の制御を行う。ナビゲーションプログラム３５０が実行されている携帯電話機３００は、機能的に音声ナビゲーションシステムコントローラを構成する。
【００２９】
図４に示すように、携帯電話機３００は、バス３２６上に、制御部３２０、操作部３３０、メディアインタフェース３３１、３Ｇ／４Ｇ通信回路３３２、Ｂｌｕｅｔｏｏｔｈ通信回路３３３、Ｗｉ−Ｆｉ通信回路３３４、および、ＧＰＳ受信部３３５を有している。
【００３０】
制御部３２０は、ＣＰＵ３２１、ＲＯＭ（フラッシュメモリ）３２２、ＲＡＭ３２３、画像プロセッサ３２４および音声プロセッサ３２５を含んでいる。画像プロセッサ３２４には、ビデオＲＡＭ（ＶＲＡＭ）３４０が接続され、ＶＲＡＭ３４０には表示部３４１が接続されている。表示部３４１は、液晶のディスプレイを含み、待ち受け画面、音声ナビゲーションシステムコントローラの画像、ＲＡＭ３２３に記憶されている地図情報に基づいた地図画像、使用者の現在地を示す現在地アイコンＰや、目的地を示す目的地アイコンＧ等を表示する（図７参照）。音声プロセッサ３２５には、Ｄ／Ａコンバータを含むアンプ３４２が接続され、アンプ３４２にはスピーカ３１６が接続されている。
【００３１】
画像プロセッサ３２４は、待ち受け画面などの種々の映像を生成するＧＰＵ（ＧｒａｐｈｉｃｓＰｒｏｃｅｓｓｉｎｇＵｎｉｔ，グラフィックス・プロセッシング・ユニット）を備えている。画像プロセッサ３２４は、ナビゲーションプログラム３５０が起動された場合には、ＣＰＵ３２１の指示に従って音声ナビゲーションシステムコントローラの画像、地図画像、地図画像に重ねられる現在地アイコンＰや目的地アイコンＧ等を生成し、これをＶＲＡＭ３４０上に展開する。ＶＲＡＭ３４０上に展開された画像は表示部３４１に表示される。
【００３２】
ＲＯＭ３２２、メモリカード３１５には、楽曲データ（ｍｐ３などのオーディオファイル）も記憶される。音声プロセッサ３２５は、通話音声や再生されたオーディオ信号をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ３２５は、デコード／生成した音声をアンプ３４２に出力するか、または、Ｂｌｕｅｔｏｏｔｈ通信回路３３３に入力する。アンプ３４２は、入力された音声信号を増幅してスピーカ３１６に出力する。Ｂｌｕｅｔｏｏｔｈ通信回路３３３は入力された音声信号を音声出力装置２００に送信する。本実施形態では、音声プロセッサ３２５から出力された音声信号は、Ｂｌｕｅｔｏｏｔｈ通信回路３３３によって音声出力装置２００に送信される。
【００３３】
ＲＡＭ３２３には、地図情報、頭部の方位情報、現在地での進むべき方位を示す案内情報、現在地の位置情報、目的地の位置情報、目的地の方位情報等が記憶される。なお、地図情報は、３Ｇ／４Ｇ通信回路３３２を介して地図情報サーバ４６０からその都度必要な分だけダウンロードされてＲＡＭ３２３に記憶される。
【００３４】
３Ｇ／４Ｇ通信回路３３２は、携帯電話通信網を介して、音声通話およびデータ通信を行う。Ｗｉ−Ｆｉ通信回路３３４は、図示しない無線アクセスポイントとの間でＩＥＥＥ８０２．１１ｇ規格のデータ通信を行う。データ通信によってナビゲーションシステムコントローラなどのアプリケーションプログラムのダウンロードが行われる。なお、アプリケーションプログラムの取得は、３Ｇ／４Ｇ通信またはＷｉ−Ｆｉ通信でダウンロードするのみならずＵＳＢなどのインタフェース経由で取得するようにしてもよい。
【００３５】
Ｂｌｕｅｔｏｏｔｈ通信回路３３３は、相手装置として選択設定した（ペアリングした）機器と通信する。携帯電話機３００は、ナビゲーションプログラム３５０との協働で音声ナビゲーションシステムコントローラとして機能し、音声出力装置２００と通信して、ＲＡＭ３２３に記憶された目的地の位置情報、現在地の位置情報、ソース信号（オーディオ信号）等を送信する。
【００３６】
ＧＰＳ受信部３３５は、ＧＰＳ衛星４２０からの信号を受信する。ＧＰＳ受信部３３５は、ＧＰＳ衛星４２０から受信した信号に基づいて緯度／経度情報および時刻情報を割り出し、これらの情報を制御部３２０に通知する。制御部３２０は、ＧＰＳ受信部３３５から入力された緯度／経度情報に基づいて地図情報上で現在地を決定する。
【００３７】
操作部３３０は、表示部３４１上に形成されたタッチパネルを含み、タッチパネル上のタッチ操作、フリック操作を検出する。操作部３３０は、タッチパネルから入力される各種の指示、目的地の位置情報等を検出して制御部３２０へ出力する。
【００３８】
メディアインタフェース３３１にはメモリカード３１５が接続される。メモリカード３１５は、たとえばマイクロＳＤカードである。３Ｇ／４Ｇ通信回路３３２によってサーバからダウンロードされたアプリケーションプログラムは、メモリカード３１５またはＲＯＭ３２２に保存される。この携帯電話機３００では、ナビゲーションプログラム３５０がメモリカード３１５に保存されている。なお、ナビゲーションプログラム３５０は、プログラム本体に加えてプログラムの実行に必要なデータを含んでいる。
【００３９】
ＲＯＭ３２２には、この携帯電話機３００の通話やアプリケーションプログラムを実行するための基本プログラムが記憶されている。また、ＲＯＭ３２２はフラッシュメモリであり、基本プログラムのほか、ダウンロードされたアプリケーションプログラムなどを記憶することも可能である。ＲＡＭ３２３には、ＣＰＵ３２０がナビゲーションプログラム３５０を実行する際に使用されるワークエリアが設定される。
【００４０】
図５は、音声ナビゲーションシステム１００の機能ブロック図である。図５を用いて音声ナビゲーションシステム１００の機能について説明する。この音声ナビゲーションシステム１００では、オーディオ再生部２６５によって再生されたオーディオ信号は、定位処理部２７０でその音像の定位を処理され、特性処理部２８０でその特性（音量、周波数特性、音場など）を処理されたのち、音響出力部２９０によって音響として出力される。定位処理部２７０による定位処理、および特性処理部２８０による特性処理は、現在地と目的地との距離および方位に応じて決定される。以下、各機能について具体的に説明する。
【００４１】
現在位置取得部３６０は、携帯電話機３００の制御部３２０、ＧＰＳ受信部３３５、ＶＲＡＭ３４０、および、ナビゲーションプログラム３５０の協動によって実現される。現在位置取得部３６０は、ＧＰＳ衛星４２０から受信したＧＰＳ信号に基づき、現在地の位置座標を取得する。また、現在位置取得部３６０は、現在地の位置座標を取得すると、ＲＡＭ３２３に記憶している地図情報に位置座標をマッチングさせて、現在地が地図上のどの位置であるかを割り出す。このとき表示部３４１に地図画像を表示し、この地図画像上の現在地に対応する位置に現在地アイコンＰを表示してもよい。取得した現在地の位置座標は、現在地の位置情報としてＲＡＭ３２３に記憶される。
【００４２】
目的位置取得部３８０は、携帯電話機３００の制御部３２０、ＶＲＡＭ３４０、表示部３４１、操作部３３０、および、プログラム５０の協働によって実現される。目的地取得部３８０は、表示部３４１に地図画像を表示し、使用者に対して目的地の指定を促す。使用者によって地図画像上の任意の位置が指定されると、目的位置取得部３８０は、指定された地点の位置座標を算出し、目的地の位置情報とする。取得された目的地の位置情報は、ＲＡＭ３２３に記憶される。また、目的位置取得部３８０は、使用者によって目的地が指定されると、指定された位置に目的地アイコンＧを表示する。なお、使用者が目的地の住所を入力したり、検索結果を選択することにより、地図情報に目的地の位置情報を入力するようにしてもよい。また、使用者が目的地の緯度および、経度を直接入力してもよい。
【００４３】
方位算出部２５０は、音声出力装置２００の制御部２１０、および、制御プログラムの協働によって実現される。方位算出部２５０は、使用者の頭部が向いている方位に対する目的地の方位を算出する。具体的には、方位算出部２５０は、現在地の位置情報、および、目的地の位置情報に基づいて現在地から目的地に向けた絶対方位を算出する。次に、この絶対方位と使用者の頭部が向いている方位情報（頭部方位情報）とに基づいて、使用者の頭部が向いている方位に対する目的地の方位を算出する。使用者の頭部が向いている方位情報（頭部方位情報）は、イヤホンユニット２１３Ｌが使用者の左耳に正常に装着されていることを前提として、音声出力装置２００の頭部方位センサ２４６で検出される。算出された方位は、角度θとしてメモリ２１２に記憶される。
【００４４】
距離算出部２６０は、音声出力装置２００の制御部２１０、および、制御プログラムの協働によって実現される。距離算出部２６０は、現在地から目的地までの距離を算出する。具体的には、距離算出部２６０は、現在地の位置情報、および目的地の位置情報に基づいて、現在地から目的地までの距離を算出する。算出された距離は、メモリ２１２に記憶される。
【００４５】
オーディオ再生部２６５は、携帯電話機３００からＢｌｕｅｔｏｏｔｈを介して送信される楽曲のオーディオ信号を再生する。
【００４６】
定位処理部２７０は、方位算出部２５０で算出された目的地の方位に基づいて、スピーカ２４４Ｌ，２４４Ｒから出力される音が使用者の頭部に対して目的地の方向から音が聞こえるように音像を定位させる。定位処理部２７０は、例えば、現在地から目的地への方向を案内方向として、オーディオ信号がモノラルの場合には案内方向に音像を定位させ、ステレオの場合には、案内方向がセンターになるように定位させる処理を行う。
【００４７】
定位処理部２７０がオーディオ信号に対して行う定位処理では、方位算出部２５０で算出された角度θを用いる。角度θは、目的地の方位と、使用者の頭部が向いている方位（頭部正面方向の方位）との角度差である。定位処理部２７０は、使用者の頭部が向いている方向（頭部正面方向）に対し、左右の角度θの方向に音像が定位するようにオーディオ信号に対して音声処理を行う。
【００４８】
オーディオ信号がモノラル信号である場合、定位処理部２７０は、１チャンネルのオーディオ信号を左右の耳用に２つのデジタルフィルタで処理し、一方のデジタルフィルタの出力信号を左のスピーカ２４４Ｌに入力し、他方のデジタルフィルタの出力信号を右のスピーカ２４４Ｒに入力する。各デジタルフィルタは係数乗算器を備えたＦＩＲ型又はＩＩＲ型のフィルタであり、入力されたオーディオ信号を音の伝達特性（インパルス応答）で畳み込み演算する。伝達特性は、音像を定位させる位置から使用者の鼓膜までの音の伝達特性をいい、例えば頭部伝達関数等で表すことができる。定位処理部２７０は、各スピーカ２４４Ｌ，２４４Ｒから左右の耳に伝達される音についてのそれぞれの伝達特性が、頭部正面方向に対して角度θの方向に音像を定位させたときの特性となるように、各デジタルフィルタの係数乗算器の係数値を設定する。これによりスピーカ２４４Ｌ，２４４Ｒへのオーディオ信号の周波数位相特性が変化し、音像の定位を変化させることができる。なお、定位処理部２７０による定位処理は、これに限定されない。例えば、頭部伝達関数を用いずに、音量、出力タイミングのみの制御であってもよい。
【００４９】
特性処理部２８０は、オーディオ信号の音量、周波数特性、音場などオーディオ信号の特性のうち、少なくとも一つを制御する。特性処理部２８０は、現在地から目的地までの距離が近い場合には、例えば、音量を大きく、高音域を強調した音質にしたり、広がりのある音場処理をして音源に近い感じをだす特性処理を行う。また、特性処理部２８０は、現在地から目的地までの距離が遠い場合には、例えば、音量を小さく、高音域を絞った中低音が勝った音質にしたり、弱い残響を長く響かせる音場処理にする特性処理を行う。なお、特性処理部２８０による特性処理は、これらに限定されない。
【００５０】
特性処理部２８０による特性処理の一例として、音のステレオ感を変化させる音場処理について説明する。ステレオ感は、左右のスピーカ２４４Ｌ，２４４Ｒから出力される音の定位の間隔が小さくなると小さくなり（音場の広がりが小さくなる）、反対に、左右のスピーカ２４４Ｌ，２４４Ｒから出力される音の定位の間隔が大きくなり、使用者の鼓膜の位置との関係が所定の関係に近づくほど大きくなる（音場の広がりが大きくなる）。ステレオ感は、左右のスピーカ２４４Ｌ，２４４Ｒから出力される音の定位の間隔と、使用者の鼓膜の位置との関係を変化させることで変えることができる。例えば、目的地までの距離が遠いほどステレオ感を小さくし（使用者にはモノラル音声に聞こえる）、目的地までの距離が近づくにつれてステレオ感を増大させる（使用者には徐々にモノラル音声からステレオ音声に聞こえる）。このようにステレオ感を変化させることにより、使用者は、現在地が徐々に目的地に近づいていることを音声によって理解することができる。
【００５１】
なお、図５では、定位処理部２７０、特性処理部２８０の順に配列され、この順にオーディオ信号に対して処理を行うように記載されているが、この順序はこれに限定されない。同じ信号処理部２２２で行われる処理であるため、両方を並行して行ってもよい。
【００５２】
音響出力部２９０は、スピーカ駆動部２２４、およびスピーカ２４４Ｌ，２４４Ｒを有している。音響出力部２９０は、定位処理部２７０で音像の定位を処理され、特性処理部２８０で特性（音量、周波数特性、音場など）を処理されたオーディオ信号を音響として出力する。
【００５３】
案内音声発生部２６７は、特定のタイミングまたはオーディオ信号が再生されていないときなどに案内音声を発生する。案内音声には、例えば、現在地から目的地までのおおよその距離や、方位を通知する内容を含めることができる。
【００５４】
図６は、音声出力装置２００が制御プログラムを実行し、携帯電話機３００がナビゲーションプログラム３５０を実行することにより実現される音声ナビゲーション処理の流れを示すフローチャートである。
【００５５】
まず、使用者は、携帯電話機３００に保存されている楽曲等や、地図情報サーバ４６０からストリーミング配信される楽曲等を選択する。選択された楽曲のオーディオ信号は、携帯電話機３００から音声出力装置２００へＢｌｕｅｔｏｏｔｈを通じて送信される（Ｓ１１）。
【００５６】
続いて、使用者が目的地の位置情報を入力する（Ｓ１２）。目的地の位置情報は、携帯電話機３００の表示部３４１に表示した地図画像上で目的地の位置を使用者が指定することにより入力される。
【００５７】
目的位置取得部３８０は、表示部３４１に表示される地図画像上の任意の地点が使用者によって指定されると、指定された位置に目的地アイコンＧを表示する（Ｓ１３）。
【００５８】
また、目的位置取得部３８０は、使用者に指定された地点の位置座標を算出し、目的地の位置情報として取得する（Ｓ１４）。なお、使用者が目的地の住所を入力したり、検索結果を選択することにより、目的地の位置情報を入力するようにしてもよい。また、使用者が目的地の緯度および、経度を直接入力してもよい。
【００５９】
Ｓ１４で目的地の位置情報が取得されると、目的地の位置情報は、携帯電話機３００から音声出力装置２００へＢｌｕｅｔｏｏｔｈを通じて送信される（Ｓ１５）。
【００６０】
現在位置取得部３６０は、現在地の位置情報を取得する（Ｓ１６）。なお、現在位置取得部３６０による現在地の位置情報の取得は、目的位置取得部３８０による目的地の位置情報の取得と並行して行ってもよい。
【００６１】
現在位置取得部３６０は、現在地の位置情報を取得すると、地図画像上の現在地に重ねて現在地アイコンＰを表示する（Ｓ１７）。
【００６２】
Ｓ１６で現在地の位置情報が取得されると、現在地の位置情報は、携帯電話機３００から音声出力装置２００へＢｌｕｅｔｏｏｔｈを通じて送信される（Ｓ１８）。
【００６３】
続いて、音声出力装置２００の方位算出部２５０は、携帯電話機３００から受信した現在地の位置情報、目的地の位置情報、および、音声出力装置２００の頭部方位センサ２４６で検知された頭部方位情報（使用者の頭部が向いている方位）に基づいて、使用者の頭部が向いている方位に対する目的地の方位を算出する（Ｓ１９）。
【００６４】
音声出力装置２００の距離算出部２６０は、携帯電話機３００から受信した現在地の位置情報、および、目的地の位置情報に基づいて、現在地から目的地までの距離を算出する（Ｓ２０）。
【００６５】
音声出力装置２００の定位処理部２７０は、使用者の頭部が向いている方向（頭部正面方向）に対し、左右の角度θの方向に音像が定位するようにオーディオ信号に対して音声処理を行う（Ｓ２１）。ここで、角度θは、目的地の方位と、頭部正面方向の方位との角度差である。
【００６６】
音声出力装置２００の特性処理部２８０は、距離算出部２６０で算出された目的地までの距離に基づいて、オーディオ信号の音場を変化させる（Ｓ２２）。例えば、現在地から目的地までの距離が遠いほどモノラルに近い音場とし、距離が近くなるほどステレオに近い音場とする。
【００６７】
スピーカ２４４Ｌ，２４４Ｒからは、定位処理部２７０および、特性処理部２８０で音声処理されたオーディオ信号に基づいた楽曲が放音される（Ｓ２３）。これにより、使用者の頭部に対して目的地の方向から音声が聞こえ、かつ、使用者の現在地から目的地までが遠い場合はモノラルに近い音声、近くなるほどステレオに近い音声が聞こえる。
【００６８】
続いてナビゲーション処理の終了判定を行う（Ｓ２４）。目的地と現在地が一致している場合にはナビゲーション処理を終了する。目的地と現在地が一致していない場合にはＳ１６に戻り、Ｓ１６〜Ｓ２４を繰り返し実行する。
【００６９】
図７は、音声ナビゲーションシステム１００の表示部３４１および、音の音像について説明するための模式図である。図７の左側は、使用者Ｕを上方から見た模式図である。一点鎖線の矢印は、使用者Ｕの頭部Ｈが向いている方向を示している。実線の矢印は、目的地の方向を示している。スピーカ２４４Ｌ，２４４Ｒは、音像が定位される仮想の位置を示している。図７の右側は、携帯電話機３００の表示部３４１に表示される地図画面である。図７では、地図画面の上方を北としているが、地図画面の情報が常に北を向く必要はなく、携帯電話機３００の向きに応じて地図画面の向きが変化してもよい。現在地アイコンＰは地図画像上での使用者の現在地を示している。使用者が進むべき経路は表示されない。現在地アイコンＰの横に付した矢印は、現在地アイコンＰの移動方向（使用者Ｕの移動方向）を説明するためのものであり、実際の地図画面には表示されなくてもよい。目的地アイコンＧは経路画像上での目的地を示している。以下、図７を参照して使用者が（Ａ）〜（Ｃ）に示すように動作した場合の表示部３４１および、音像の変化について説明する。
【００７０】
図７Ａは、使用者が目的地の位置情報を入力した後、スピーカ２４４Ｌ，２４４Ｒからの放音が開始された状態を示している。図７Ａでは、使用者Ｕは、北を向いている。使用者Ｕの現在地（地図画面上の現在地アイコンＰの位置）に対して目的地の位置（地図画面上の目的地アイコンＧの位置）は、北東である。このため、音像が定位された音は、使用者Ｕの頭部Ｈが向いている方向（頭部正面方向）に対して右前方に位置し、目的地の方位に対して垂直方向に配置され、前記方位の逆方向に向いた仮想のスピーカ２４４Ｌ，２４４Ｒから放音されているように聞こえる。このため、使用者Ｕは、地図画面を見なくても、あるいは方位（東西南北）を正しく認識していなくても、自分が頭部Ｈを向けている方向に対して右前方に目的地が位置していることを認識することができる。
【００７１】
また、仮想のスピーカ２４４Ｌ，２４４Ｒの間隔は狭くなるように音声処理されているため、使用者Ｕにはモノラルに近い音声が聞こえる。このため、使用者Ｕは、地図画面を見なくても、あるいは現在地から目的地までの距離を正しく認識していなくても、目的地までは遠いことを認識することができる。
【００７２】
現在地から目的地までのおおよその方向と距離が認識できた使用者Ｕは、目的地に近づくように移動を開始するが、目的地まではどのような経路を選択してもよい。例えば、現在地から東に向かってもよく（Ａルート）、現在地から北に向かってもよい（Ｂルート）。
【００７３】
図７Ｂは、使用者が移動している状態を示している。図７Ｂでは、使用者Ｕは、東を向いている。使用者Ｕの現在地（地図画面上の現在地アイコンＰの位置）に対して目的地の位置（地図画面上の目的地アイコンＧの位置）は、北東である。このため、音像が定位された音は、使用者Ｕの頭部Ｈが向いている方向（頭部正面方向）に対して左前方に位置し、目的地の方位に対して垂直方向に離間配置され、前記方位の逆方向に向いた仮想のスピーカ２４４Ｌ，２４４Ｒから放音されているように聞こえる。このため、使用者Ｕは、地図画面を見なくても、あるいは方位（東西南北）を正しく認識していなくても、自分が頭部Ｈを向けている方向に対して左前方に目的地が位置していることを認識することができる。
【００７４】
また、仮想のスピーカ２４４Ｌ，２４４Ｒの目的地方位に対して垂直方向に離間された間隔は図７Ａよりも広くなるように音声処理されているため、使用者Ｕにはモノラルよりもステレオに近い音声が聞こえる。このため、使用者Ｕは、地図画面を見なくても、あるいは現在地から目的地までの距離を正しく認識していなくても、目的地まで近づいていることを認識することができる。
【００７５】
図７Ｃは、使用者が移動して目的地に近づいている状態を示している。図７Ｃでは、使用者Ｕは、北を向いている。使用者Ｕの現在地（地図画面上の現在地アイコンＰの位置）に対して目的地の位置（地図画面上の目的地アイコンＧの位置）は、真北よりわずかに西寄りである。このため、音像が定位された音は、使用者Ｕの頭部Ｈが向いている方向（頭部正面方向）に対して前方わずかに左に位置し、目的地方位に対して垂直方向に離間配置され、前記方位の逆方向に向いた仮想のスピーカ２４４Ｌ，２４４Ｒから放音されているように聞こえる。このため、使用者Ｕは、地図画面を見なくても、あるいは方位（東西南北）を正しく認識していなくても、自分が頭部Ｈを向けている方向に対して前方わずか左に目的地が位置していることを認識することができる。
【００７６】
また、仮想のスピーカ２４４Ｌ，２４４Ｒの目的地方位に対して垂直方向に離間された間隔は図７Ｂよりも広くなるように音声処理されているため、使用者Ｕにはほぼステレオに近い音声が聞こえる。このため、使用者Ｕは、地図画面を見なくても、あるいは現在地から目的地までの距離を正しく認識していなくても、目的地が近いことを認識することができる。
【００７７】
以上説明した本発明の音声ナビゲーションシステムは、上記実施形態に限定されない。仮想のスピーカ２４４Ｌ，２４４Ｒからは、常に音声処理された音が放音されるとしたが、方位と距離を確認したい時だけあるいは所定のタイミングの時だけ、音声処理された音が放音され、それ以外は音声処理されていない音が放音されるようにしてもよい。例えば、音声出力装置２００にトリガ入力部を設け、トリガ入力部が操作されたときだけ、音声処理された音が放音され、それ以外は音声処理されていない音が放音されるようにしてもよい。
【００７８】
また、上記実施形態では、現在地から目的地までの距離に応じてステレオ感が変化するようにしたが、これに限定されない。例えば、現在地から目的地までの距離に応じて、音量が変化するようにしてもよい。
【００７９】
上記実施形態では、音声出力装置２００は、音声処理ユニット２０１とイヤホンユニット２１３Ｌ，２１３Ｒが別体に設けられているが、これに限定されない。例えば、音声処理ユニット２０１の機能をイヤホンユニット２１３Ｌ，２１３Ｒが備えるようにしてもよい。
【００８０】
上記実施形態では、音声ナビゲーションシステム１００は、音声出力装置２００、および、多機能携帯電話機３００で構成されるとしたが、これに限定されない。例えば、音声処理ユニット２０１の機能を携帯電話機３００でナビゲーションプログラム３５０が実行されることにより実現させてもよい。
【符号の説明】
【００８１】
１００  音声ナビゲーションシステム
２００  音声出力装置
３００  携帯電話機
４００  ＧＰＳナビゲーションシステム
２４４Ｌ，２４４Ｒ  スピーカ
２６０  距離算出部
２８０  特性処理部
３６０  現在位置取得部
３８０  目的位置取得部
【図１】
2020188494.tif 000003
【図２】
2020188494.tif 000004
【図３】
2020188494.tif 000005
【図４】
2020188494.tif 000006
【図５】
2020188494.tif 000007
【図６】
2020188494.tif 000008
【図７】
2020188494.tif 000009